(57)【要約】【課題】  シャツの裾部がズボン内にあっても、ペニスをズボンのチャックから確実迅速に取り出しできて排尿しやすいようにすること。【解決手段】  頭からかぶる態様のシャツ本体の裾部正面に、ほゞ逆Ｕ字形をなす幅広の開口部を形成する。【選択図】図１
0003136047.tif 000002
【実用新案登録請求の範囲】
【請求項１】
頭からかぶる態様のシャツ本体の裾部正面に、ほゞ逆Ｕ字形をなす幅広の開口部を形成することを特徴とする男性用シャツ。
【請求項２】
開口部は、周縁を裾上げテープで接着することを特徴とする請求項１記載の男性用シャツ。
【請求項３】
開口部の内面側に、遠赤外線輻射磁鉄鉱入りスポンジ材からなる弾性布を取り付けることを特徴とする請求項１又は２記載の男性用シャツ。
【考案の詳細な説明】
【技術分野】
【０００１】  本考案は排尿しやすいようにした男性用シャツに関する。
【背景技術】
【０００２】  丁シャツ、ランニングシャツなどを着た状態で排尿をする場合にシャツ下端がズボンのチャックよりも下方に位置するとシャツ裾部を持ち上げる必要があり排尿操作に手間取るという不具合がある。特に裾部がズボンの中に収納されていると、ズボンの前面にシャツの裾部が位置するためペニスの取り出しに時間がかゝり、尿疾患を持つ高齢者や障害者はいわゆる粗相をきたすことにもなりかねない。そこでペニスの取り出しをスムースにするためにシャツの裾部にスリットを形成して正面側からペニスを取り出すようにした技術なども提案されている（例えば特許文献１及び２参照）。
【特許文献１】  特開２００３−１６６１０２号公報
【特許文献１】  特開２００３−１８３９０１号公報
【考案の開示】
【考案が解決しようとする課題】
【０００３】  特許文献１の技術は、前身頃の中央下端部にスリットを形成したシャツであり、ズボンなどの上から着用するだけでなく、ズボン又は他の下着の下に着用してもそれらの前部に設けられた開口部からペニスを取り出すことができるとしている。スリット形状は平行状・Ｖ字状などの細形状で下端が二分される構成を主旨としていることから、排尿時にペニスがスリットの正面に位置する場合には取り出しも容易にできると考えられるが、通常シャツの内側又は外側にはズボンがあり、またズボンの内側にはパンツが位置しているため、ペニスは必ずしも直線状に取り出しされるものではなく、したがってこの技術のように細いスリットでは殆ど用をなさないと考えられる。【０００４】  特許文献２の技術は、太腿上部より下方に下部解放部がくるように背丈が長めに設定されいて、前方の中心の下部開口部にスリットを備えたアンダーシャツを主旨としたもので、前記スリットは縦方向に切り込みを形成したものだけでなく、山型状の解放部としたものも含むとしている。この技術はスリットの場合、前記した特許文献１と同様の不具合があり、また山型状の解放部であっても上端部は幅狭となるので、幅狭個所にペニスが位置する場合は取り出しに手間取るという懸念と、ズボン内部のシャツは裾部が必ずしも真っ直ぐに収納されるわけではなく、長めのシャツであると端折ったり中心部が位置ずれして収まるなどは至極当然のことである。しかして特許文献１及び２のように、頂点から末広がり状にスリットが形成されたものは、裾部の左右が横方向に引っ張られた場合、頂点個所に裂け目が生じやすくシャツが傷損するといった問題が残る。【０００５】  本考案はこのような従来技術に鑑みてなされたもので、ズボン内に収まっているシャツの裾部を通ってズボンの正面からペニスが容易迅速に取り出しでき、このため排尿が迅速になされて尿漏れを末然に防止できる男性用シャツを提供しようとするものである。
【課題を解決するための手段】
【０００６】  そのために本考案は、頭からかぶる態様のシャツ本体の裾部正面に、ほゞ逆Ｕ字形をなす幅広の開口部を形成することを特徴とする。【０００７】  前記した開口部は、周縁を裾上げテープで接着することを特徴とする。【０００８】  また前記開口部の内面側に、遠赤外線輻射磁鉄鉱入りスポンジ材からなる弾性布を取り付けることを特徴とする。
【考案の効果】
【０００９】  本案シャッを着用し、ズボン内にシャツ本体がすんなりと真っ直ぐに収まらないで開口部中心がズボンの正面中央よりずれたとしても、開口部はほゞ逆Ｕ字形で幅広のため左右いずれかの個所はズボンの正面中央に位置し、したがって排尿時にパンツから引き出したペニスは開口部を通ってズボンの正面口よりスムースに取り出すことができ、排尿に切迫感を覚えても取り出し作業が遅滞なく行えるので尿漏れを未然に防止でき、またシャツ本体をズボン外部に着用した場合は、チャックから引き出したペニスを開口部からそのまゝ突出させることができるためシャツ裾部を持ち上げる等の手間を要することなく速やかな排尿ができる。【００１０】  開口部の周縁は通常の縫製作業で縫着しても問題はないが、逆Ｕ字形に切り抜いた周縁にいわゆる裾上げテープを用いて接着すれば誰もが好みの大きさの開口部を形成できるので体の大きさに見合った開口部付きシャツが得られる。【００１１】  開口部を設けたことで冬場などその部分の皮膚が露出すると冷えて不具合となる場合が考えられるが、あらかじめ開口部の内面側に遠赤外線輻射磁鉄鉱入りのスポンジ材からなる弾性布を取り付けると、弾性布から発する遠赤外線が腹部に浸透して温熱効果を発揮し生体細胞を活性化して血流が促進され、体の不具合解消が所期される。
【考案を実施するための最良の形態】
【００１２】  図面に基づき説明すると、図１において１は男性用のシャツ本体であり、首回りは単なる丸首状のもの・ボタンで止めるものなど特に限定はないが、頭からかぶる態様のものである。このようなシャツは腹部個所が丸胴形でボタンやチャックはないため左右に開くことはなく、裾部２に至るまでそのまゝの形状となる。【００１３】  ３はシャツ本体１の裾部２に形成した逆Ｕ字形の開口部である。この開口部３は裾部２の正面中央に位置し、７〜９センチほどの横幅を有するとともに、１０センチ強の長さを有する。シャツ本体１はＬ・Ｍ・Ｓの大きさがあり、前記横幅と長さも大きさに応じて若干数値に開きがあるのは当然である。なお逆Ｕ字形のため開口部３の上面は弧状を描くが、この部分も限りなく水平に近い形状としても何ら差し支えはない。【００１４】  開口部３の周縁は通常の縫製により仕上げることができること勿論であるが、図２のように裾上げテープ４を用いて周縁を接着する方法を採ると、自己の所望する大きさの開口部３とすることができる。ズボンの裾上げの場合は、裾部の長さを着用者が自身の所望する寸法に折り返し、その折り返し個所に裾上げテープを接着して完成させている。これと同じ要領で、開口部３をあらかじめ適当な大きさに形成しておき、その周縁を裾上げテープ４で接着すれば、既成の品とは異なって自己の好みの大きさの開口部３とすることができて都合がよい。この場合、裾上げテープ４をあらかじめ開口部３よりも大きめのＵ字形に形成した一体型のものを用いても、或いは開口部３の周縁に見合う縦横各別の帯状のものを用いてもよい。【００１５】  図３は開口部３の内面側に弾性布５を取り付けた例を示している。この弾性布は遠赤外線輻射磁鉄鉱入りのスポンジ材からなることを特徴としている。該スポンジ材の表面には図示しないが薄い伸縮性の布材が設けられていて、弾性布５の正形状態が保たれるようになっている。周知のように遠赤外線は、人体を構成する無数の有機物・無機物の構成分子が持つ特定の振動数と同じ振動数の波長である場合、生体と反応して原子及び原子団に吸収されて共鳴現象が起きる。共鳴現象により分子は活性エネルギーに変わり活性化する。また磁鉄鉱入りとすると磁気帯より発する磁気により生体の呼吸活動が活発化して血行増進に役立つことも広く知られている。このように健康上有用であるスポンジ材からなる弾性布５を開口部３の内面側に設けることで、開口部３部分によるマイナス面を十分にカバーできる。【００１６】  本来、シャツは裾部に至るまで布材が欠落することはないが、上記のように開口部３を形成することでその部分が空白部となって肌が露出するので冬場などは好ましいとはいえない。そこで上記のように遠赤外線を放射する弾性布５を設けると、分子活動が活発化して血流が促進し、温かさが実感できて開口部３が存在してもその不利が解消できる。【００１７】  図４は本案シャツを着用して裾部２をズボン６の内側に納めた状態で排尿する場合の例を示している。先ずズボン６のチャック７をあけ。片手をチャック７内に入れるとともに更にシャツ本体１の開口部３に指を滑らせ、パンツ（不図示）の口からペニスＰの先端を摘んで引き出す。ペニスＰは開口部３が幅広のためシャツ本体１が障害とならないでそのまゝ引き出すことができ、したがってズボン６のチャック７から容易に取り出すことができる。本案シャツにおいても従来品と何ら変わることなく排尿作業をするものであるが、シャツ本体１の裾部２に形成した開口部３は十分な横幅と長さがあり、ペニスＰの取り出しに支障を生じない点で優れる。ズボン７６の裾部２は必ずしも整然と収まるわけてはなく、開口部３の中心もズボン６の正面側と一致するものではないが、開口部３が逆Ｕ字形で適度な横幅を持つためペニスＰは開口部３の左右いずれかの個所には突出でき、それゆえチャック７からの取り出しは容易確実となり、排尿時に切迫感があってもペニスＰ取り出しに迅速性が確保できて尿漏れ現象など未然に防止できる。【００１８】  本案シャツは裾部２に開口部３を形成しているため通常のシャツに比べて異形ではあるが、例えば病人用の上着として病院或いは家庭内で使用する分には何ら差し支えがないので応用範囲は頗る広い。このようにシャツの裾部２正面に十分な大きさの開口部３を形成することは従来技術では全く想定できない知見であり、実用性という観点からも本考案の有益性は極めて高いといえる。而して本案シャツは、開口部３を通常の裁断加工で容易に形成でき、また弾性布５も縫着によって簡単に取り付けできるため複雑な工程を要さず安価に作製でき繰り返し洗濯にも適するなど多くの実益がある。
【図面の簡単な説明】
【００１９】
【図１】本案シャツの概略正面図である。
【図２】開口部周縁を裾上げテープで接着した一部切欠正面図である。
【図３】開口部の内面側に弾性布を取り付けた背面から見た断面図である。
【図４】ズボンのチャックをあけた排尿時の説明図である。
【符号の説明】
【００２０】１    シャツ本体
２    裾部
３    開口部
４    裾上げテープ
５    弾性布
６    ズボン
７    チャック
【図１】
0003136047.tif 000003
【図２】
0003136047.tif 000004
【図３】
0003136047.tif 000005
【図４】
0003136047.tif 000006